(57)【要約】      （修正有）【課題】構成改良される多方向ロッカー調節制御装置を提供する。【解決手段】ベース１とハウジング２との間の収容室には調節制御アセンブリが嵌め込まれ、調節制御アセンブリは、軸芯４１、上端ロッカーアーム４２及び下端ロッカーアームを含む。軸芯下端側にはロッカーが取り付けられ、ロッカー上端部は、軸芯の軸芯取付孔に嵌め込み、ロッカーと軸芯との間にはバネが取り付けられている。上端ロッカーアームは上端駆動部４２２と上端位置決め部とが設けられ、上端駆動部は第１回転ポテンショメータ４６を駆動する。下端ロッカーアームは下端第１駆動部、下端第２駆動部が設けられ、下端第１駆動部は第２回転ポテンショメータ４７を駆動し、下端第２駆動部はタッチスイッチを駆動する。軸芯下端部には、２つの、対向して配置される係止部が設けられ、各係止部は、下端ロッカーアームの係止孔に嵌め込み、軸芯下端部の外表面における各係止部の傍には、それぞれ、接触位置制限バンプが設けられている。【選択図】図１
0003211625.tif 000002
【実用新案登録請求の範囲】
【請求項１】
構成改良される多方向ロッカー調節制御装置であって、ベース（１）と、ベース（１）の上端側に位置するハウジング（２）とを含み、ハウジング（２）の下端部は、ベース（１）に接続し、ハウジング（２）とベース（１）との間には収容室（３）を成形しており、ハウジング（２）の上表面には収容室（３）に連通するハウジング貫通孔（２１）が開設されており、収容室（３）内には調節制御アセンブリ（４）が嵌装されており、
調節制御アセンブリ（４）は、軸芯（４１）と、上端ロッカーアーム（４２）と、上端ロッカーアーム（４２）の下端側に位置する下端ロッカーアーム（４３）とを含み、上端ロッカーアーム（４２）と下端ロッカーアーム（４３）とは、十字状に交差して配置され、上端ロッカーアーム（４２）の中間位置には上下に完全に貫通する上端貫通孔（４２１）が開設されており、下端ロッカーアーム（４３）の中間位置には、上下に完全に貫通する下端貫通孔（４３１）が開設されており、軸芯（４１）の上端部は、順に下端貫通孔（４３１）、上端貫通孔（４２１）及びハウジング貫通孔（２１）を貫通してハウジング（２）の上端側まで延伸し、軸芯（４１）の芯部には下へ開口する軸芯取付孔（４１１）が開設されており、軸芯（４１）の下端側にはロッカー（４４）が取り付けられ、ロッカー（４４）の上端部は、軸芯（４１）の軸芯取付孔（４１１）に嵌め込み、ロッカー（４４）の下端部は、ベース（１）に搭載し、ロッカー（４４）の外周にはバネ（４５）が嵌着されており、バネ（４５）の上端部は、軸芯（４１）に当接し、バネ（４５）の下端部は、ロッカー（４４）の下端部に抵接しており、
上端ロッカーアーム（４２）の一端部には、ハウジング（２）の側壁を貫通してかつハウジング（２）の外端側まで延伸する上端駆動部（４２２）が設けられており、上端ロッカーアーム（４２）の他端部には、ハウジング（２）の側壁を貫通して、かつハウジング（２）とベース（１）との間に係止する上端位置決め部（４２３）が設けられており、上端駆動部（４２２）と上端位置決め部（４２３）とは、対向して逆向に配置され、ハウジング（２）の側壁外表面は、上端ロッカーアーム（４２）の上端駆動部（４２２）に対応して第１回転ポテンショメータ（４６）が取り付けられ、上端ロッカーアーム（４２）の上端駆動部（４２２）と第１回転ポテンショメータ（４６）とは駆動して接続され、下端ロッカーアーム（４３）の一端部には、ハウジング（２）の側壁を貫通して、かつハウジング（２）の外端側まで延伸する下端第１駆動部（４３２）が設けられており、下端ロッカーアーム（４３）の他端部には、ハウジング（２）の側壁を貫通してかつハウジング（２）の外端側まで延伸する下端第２駆動部（４３３）が設けられており、下端第１駆動部（４３２）と下端第２駆動部（４３３）とは、対向して逆向に配置され、ハウジング（２）の側壁外表面は、下端第１駆動部（４３２）に対応して第２回転ポテンショメータ（４７）が取り付けられ、下端ロッカーアーム（４３）の下端第１駆動部（４３２）と第２回転ポテンショメータ（４７）とは駆動して接続され、ベース（１）は、下端第２駆動部（４３３）の下端側にはタッチスイッチが取り付けられ、下端ロッカーアーム（４３）が指定位置に回動する時、下端第２駆動部（４３３）は、下へタッチスイッチを押し、
軸芯（４１）の下端部には、２つの、対向して配置され、かつ逆向に外へ突起して延伸する係止部（４１２）が設けられており、下端ロッカーアーム（４３）は、各係止部（４１２）に対応して、それぞれ、完全に貫通する係止孔（４３４）が設けられており、軸芯（４１）の各係止部（４１２）は、それぞれ、下端ロッカーアーム（４３）の係止孔（４３４）に嵌め込み、軸芯（４１）の下端部の外表面における各係止部（４１２）の傍には、それぞれ、接触位置制限バンプ（４１３）が設けられており、各接触位置制限バンプ（４１３）には、それぞれ、円弧面形状の円弧状接触面（４１３１）が設けられており、各接触位置制限バンプ（４１３）の円弧状接触面（４１３１）は、それぞれ、下端貫通孔（４３１）の内表面に接触していることを特徴とする構成改良される多方向ロッカー調節制御装置。
【請求項２】
各前記係止部（４１２）には、それぞれ、傾斜面（４１２１）が設けられていることを特徴とする請求項１に記載の構成改良される多方向ロッカー調節制御装置。
【請求項３】
前記第１回転ポテンショメータ（４６）は、前記上端駆動部（４２２）の外周にカバーする第１ゴム回転シートと、前記ハウジング（２）の外表面に係合する第１本体（４６２）とを含み、第１本体（４６２）と第１ゴム回転シートとの間には、互いに接触する第１ブラシ（４６３）、第１カーボンプレート（４６４）が取り付けられ、第１ブラシ（４６３）は、第１ゴム回転シートに係合し、第１カーボンプレート（４６４）は、第１本体（４６２）に係合していることを特徴とする請求項１に記載の構成改良される多方向ロッカー調節制御装置。
【請求項４】
前記第２回転ポテンショメータ（４７）は、前記下端第１駆動部（４３２）の外周にカバーする第２ゴム回転シートと、前記ハウジング（２）の外表面に係合する第２本体（４７２）とを含み、第２本体（４７２）と第２ゴム回転シートとの間には互いに接触する第２ブラシ（４７３）、第２カーボンプレート（４７４）が取りつけられ、第２ブラシ（４７３）は、第２ゴム回転シートに係合し、第２カーボンプレート（４７４）は、第２本体（４７２）に係合していることを特徴とする請求項１に記載の構成改良される多方向ロッカー調節制御装置。
【考案の詳細な説明】
【技術分野】
【０００１】
本案は調節制御装置の技術分野に関し、特に、構成改良される多方向ロッカー調節制御装置に関する。
【背景技術】
【０００２】
ゲームコントローラーは、ビデオゲームを制御する設備、例えば、ジョイスティックや、マウス、ゲームボードなどである。ゲームコントローラーは、最も早い出現する類型がゲームパッド（Ｇａｍｅｐａｄ）であり、その後、各種のジョイスティック（Ｊｏｙｓｔｉｃｋ、ある媒体がパドルや、ジョイスティック、ロッカーとも称する）は、市場に広く普及し、すべてのスーパーゲーマーは、持っており、その後、専門のステアリング・ホイール（Ｗｈｅｅｌ＆Ｐｅｄａｌ）は、スーパーゲーマーの必須の重要な「武器」になっている。
【０００３】
非常に一般的な専門のステアリング・ホイール製品として、ロッカー式調節制御装置の応用は、非常に普及している。しかしながら、従来のロッカー調節制御装置にとっては、実際の使用過程にいて、一般的には、設計が合理的ではなく、安定性および信頼性が悪いという欠陥を有する。
【考案の概要】
【考案が解決しようとする課題】
【０００４】
本考案は、既存技術の不足について、設計が新規であり、構成が簡単であり、安定性および信頼性がよい構成改良される多方向ロッカー調節制御装置を提供することを目的としている。
【課題を解決するための手段】
【０００５】
上記目的を実現するために、本考案は、以下の技術案を採用する。
【０００６】
構成改良される多方向ロッカー調節制御装置であって、ベースと、ベースの上端側に位置するハウジングとを含み、ハウジングの下端部は、ベースに接続し、ハウジングとベースとの間には収容室を成形しており、ハウジングの上表面には収容室に連通するハウジング貫通孔が開設されており、収容室内には調節制御アセンブリが嵌装されており、
調節制御アセンブリは、軸芯と、上端ロッカーアームと、上端ロッカーアームの下端側に位置する下端ロッカーアームとを含み、上端ロッカーアームと下端ロッカーアームとは、十字状に交差して配置され、上端ロッカーアームの中間位置には上下に完全に貫通する上端貫通孔が開設されており、下端ロッカーアームの中間位置には、上下に完全に貫通する下端貫通孔が開設されており、軸芯の上端部は、順に下端貫通孔、上端貫通孔及びハウジング貫通孔を貫通してハウジングの上端側まで延伸し、軸芯の芯部には下へ開口する軸芯取付孔が開設されており、軸芯の下端側にはロッカーが取り付けられ、ロッカーの上端部は、軸芯の軸芯取付孔に嵌め込み、ロッカーの下端部は、ベースに搭載し、ロッカーの外周にはバネが嵌着されており、バネの上端部は、軸芯に当接し、バネの下端部は、ロッカーの下端部に抵接しており、
上端ロッカーアームの一端部には、ハウジングの側壁を貫通してかつハウジングの外端側まで延伸する上端駆動部が設けられており、上端ロッカーアームの他端部には、ハウジングの側壁を貫通して、かつハウジングとベースとの間に係止する上端位置決め部が設けられており、上端駆動部と上端位置決め部とは、対向して逆向に配置され、ハウジングの側壁外表面は、上端ロッカーアームの上端駆動部に対応して第１回転ポテンショメータが取り付けられ、上端ロッカーアームの上端駆動部と第１回転ポテンショメータとは駆動して接続され、下端ロッカーアームの一端部には、ハウジングの側壁を貫通して、かつハウジングの外端側まで延伸する下端第１駆動部が設けられており、下端ロッカーアームの他端部には、ハウジングの側壁を貫通してかつハウジングの外端側まで延伸する下端第２駆動部が設けられており、下端第１駆動部と下端第２駆動部とは、対向して逆向に配置され、ハウジングの側壁外表面は、下端第１駆動部に対応して第２回転ポテンショメータが取り付けられ、下端ロッカーアームの下端第１駆動部と第２回転ポテンショメータとは駆動して接続され、ベースは、下端第２駆動部の下端側にはタッチスイッチが取り付けられ、下端ロッカーアームが指定位置に回動する時、下端第２駆動部は、下へタッチスイッチを押し、
軸芯の下端部には、２つの、対向して配置され、かつ逆向に外へ突起して延伸する係止部が設けられており、下端ロッカーアームは、各係止部に対応して、それぞれ、完全に貫通する係止孔が設けられており、軸芯の各係止部は、それぞれ、下端ロッカーアームの係止孔に嵌め込み、軸芯の下端部の外表面における各係止部の傍には、それぞれ、接触位置制限バンプが設けられており、各接触位置制限バンプには、それぞれ、円弧面形状の円弧状接触面が設けられており、各接触位置制限バンプの円弧状接触面は、それぞれ、下端貫通孔の内表面に接触している。
【０００７】
各前記係止部には、それぞれ、傾斜面が設けられている。
【０００８】
前記第１回転ポテンショメータは、前記上端駆動部の外周にカバーする第１ゴム回転シート（Rubber rotor sheet）と、前記ハウジングの外表面に係合する第１本体とを含み、第１本体と第１ゴム回転シートとの間には、互いに接触する第１ブラシ、第１カーボンプレートが取り付けられ、第１ブラシは、第１ゴム回転シートに係合し、第１カーボンプレートは、第１本体に係合している。
【０００９】
前記第２回転ポテンショメータ、前記下端第１駆動部の外周にカバーする第２ゴム回転シートと、前記ハウジングの外表面に係合する第２本体とを含み、第２本体と第２ゴム回転シートとの間には互いに接触する第２ブラシ、第２カーボンプレートが取りつけられ、第２ブラシは、第２ゴム回転シートに係合し、第２カーボンプレートは、第２本体に係合している。
【考案の効果】
【００１０】
本考案の有益な効果は、以下の通りである。本考案に記載の構成改良される多方向ロッカー調節制御装置は、ベースとハウジングとの間の収容室には調節制御アセンブリが嵌め込まれ、調節制御アセンブリは、軸芯、上端ロッカーアーム及び下端ロッカーアームを含む。上端ロッカーアームと下端ロッカーアームとは十字状に交差して配置され、軸芯の上端部は順に下端ロッカーアームの下端貫通孔、上端ロッカーアームの上端貫通孔、ハウジングのハウジング貫通孔を貫通してかつハウジング上端側まで延伸する。軸芯下端側にはロッカーが取り付けられ、ロッカー上端部は軸芯の軸芯取付孔に嵌め込み、ロッカーと軸芯との間にはバネが取り付けられている。上端ロッカーアームは、上端駆動部と上端位置決め部とが設けられており、上端駆動部は第１回転ポテンショメータを駆動する。下端ロッカーアームは下端第１駆動部と下端第２駆動部とが設けられており、下端第１駆動部は第２回転ポテンショメータを駆動し、下端第２駆動部はタッチスイッチを駆動する。軸芯下端部には２つの、対向して配置される係止部が設けられており、各係止部は、それぞれ、下端ロッカーアームの係止孔に嵌め込み、軸芯下端部の外表面における各係止部の傍には、それぞれ、接触位置制限バンプが設けられており、各接触位置制限バンプの円弧状接触面は、それぞれ、下端貫通孔の内表面に接触している。上記構成設計によれば、設計が新規であり、構成が簡単であり、安定性および信頼性がよいメリットを有する。
【図面の簡単な説明】
【００１１】
以下、図面を参照しながら、本考案をさらに説明する。図面における実施例は、本考案を制限していない。
【図１】図１は、本考案の構成を示す模式図である。
【図２】図２は、本考案の別の視角の構成を示す模式図である。
【図３】図３は、本考案の断面模式図である。
【図４】図４は、本考案の別の位置の断面模式図である。
【図５】図５は、本考案の一部の構成を示す模式図である。
【図６】図６は、図５の分解を示す模式図である。
【考案を実施するための形態】
【００１２】
以下、具体的な実施形態を結び合わせて、本考案を説明する。
【００１３】
図１乃至図６に示すように、構成改良される多方向ロッカー調節制御装置であって、ベース１と、ベース１の上端側に位置するハウジング２とを含み、ハウジング２の下端部は、ベース１に接続し、ハウジング２とベース１との間には収容室３を成形しており、ハウジング２の上表面には収容室３に連通するハウジング貫通孔２１が開設されており、収容室３内には調節制御アセンブリ４が嵌装されている。
調節制御アセンブリ４は、軸芯４１と、上端ロッカーアーム４２と、上端ロッカーアーム４２の下端側に位置する下端ロッカーアーム４３とを含み、上端ロッカーアーム４２と下端ロッカーアーム４３とは、十字状に交差して配置され、上端ロッカーアーム４２の中間位置には上下に完全に貫通する上端貫通孔４２１が開設されており、下端ロッカーアーム４３の中間位置には、上下に完全に貫通する下端貫通孔４３１が開設されており、軸芯４１の上端部は、順に下端貫通孔４３１、上端貫通孔４２１及びハウジング貫通孔２１を貫通してハウジング２の上端側まで延伸し、軸芯４１の芯部には下へ開口する軸芯取付孔４１１が開設されており、軸芯４１の下端側にはロッカー４４が取り付けられ、ロッカー４４の上端部は、軸芯４１の軸芯取付孔４１１に嵌め込み、ロッカー４４の下端部は、ベース１に搭載し、ロッカー４４の外周にはバネ４５が嵌着されており、バネ４５の上端部は、軸芯４１に当接し、バネ４５の下端部は、ロッカー４４の下端部に抵接している。
【００１４】
さらに、上端ロッカーアーム４２の一端部には、ハウジング２の側壁を貫通してかつハウジング２の外端側まで延伸する上端駆動部４２２が設けられており、上端ロッカーアーム４２の他端部には、ハウジング２の側壁を貫通して、かつハウジング２とベース１との間に係止する上端位置決め部４２３が設けられており、上端駆動部４２２と上端位置決め部４２３とは、対向して逆向に配置され、ハウジング２の側壁外表面は、上端ロッカーアーム４２の上端駆動部４２２に対応して第１回転ポテンショメータ４６が取り付けられ、上端ロッカーアーム４２の上端駆動部４２２と第１回転ポテンショメータ４６とは駆動して接続され、下端ロッカーアーム４３の一端部には、ハウジング２の側壁を貫通して、かつハウジング２の外端側まで延伸する下端第１駆動部４３２が設けられており、下端ロッカーアーム４３の他端部には、ハウジング２の側壁を貫通してかつハウジング２の外端側まで延伸する下端第２駆動部４３３が設けられており、下端第１駆動部４３２と下端第２駆動部４３３とは、対向して逆向に配置され、ハウジング２の側壁外表面は、下端第１駆動部４３２に対応して第２回転ポテンショメータ４７が取り付けられ、下端ロッカーアーム４３の下端第１駆動部４３２と第２回転ポテンショメータ４７とは駆動して接続され、ベース１は、下端第２駆動部４３３の下端側にはタッチスイッチが取り付けられ、下端ロッカーアーム４３が指定位置に回動する時、下端第２駆動部４３３は、下へタッチスイッチを押す。
【００１５】
よりさらに、軸芯４１の下端部には、２つの、対向して配置され、かつ逆向に外へ突起して延伸する係止部４１２が設けられており、下端ロッカーアーム４３は、各係止部４１２に対応して、それぞれ、完全に貫通する係止孔４３４が設けられており、軸芯４１の各係止部４１２は、それぞれ、下端ロッカーアーム４３の係止孔４３４に嵌め込み、軸芯４１の下端部の外表面における各係止部４１２の傍には、それぞれ、接触位置制限バンプ４１３が設けられており、各接触位置制限バンプ４１３には、それぞれ、円弧面形状の円弧状接触面４１３１が設けられており、各接触位置制限バンプ４１３の円弧状接触面４１３１は、それぞれ、下端貫通孔４３１の内表面に接触している。
【００１６】
さらに、第１回転ポテンショメータ４６は、上端駆動部４２２の外周にカバーする第１ゴム回転シート、ハウジング２の外表面に係合する第１本体４６２を含み、第１本体４６２と第１ゴム回転シートとの間には互いに接触する第１ブラシ４６３と第１カーボンプレート４６４を設置し、第１ブラシ４６３は、第１ゴム回転シートに係合し、第１カーボンプレート４６４は、第１本体４６２に係合している。同様に、第２回転ポテンショメータ４７は、下端第１駆動部４３２の外周にカバーする第２ゴム回転シート、ハウジング２の外表面に係合する第２本体４７２を含み、第２本体４７２と第２ゴム回転シートとの間には互いに接触する第２ブラシ４７３、第２カーボンプレート４７４を設置し、第２ブラシ４７３は、第２ゴム回転シートに係合し、第２カーボンプレート４７４は、第２本体４７２に係合する。
【００１７】
本考案に係る多方向ロッカー調節制御装置が作動過程において、軸芯４１は、上端ロッカーアーム４２、下端ロッカーアーム４３を駆動して動作させることができる。軸芯４１が上端ロッカーアーム４２を駆動して動作させる時、上端ロッカーアーム４２の上端駆動部４２２は、第１回転ポテンショメータ４６の第１ゴム回転シート４６１を駆動して同期に回動させ、回動する第１ゴム回転シート４６１は、第１カーボンプレート４６４に対して回動する。軸芯４１が下端ロッカーアーム４３を駆動して動作するとき、下端ロッカーアーム４３の下端第１駆動部４３２は、第２回転ポテンショメータ４７の第２ゴム回転シート４７１を駆動して同期に回動させ、回動する第２ゴム回転シート４７１は、第２カーボンプレート４７４に対して回動する。また、下端ロッカーアーム４３が指定位置に回動する時、下端第２駆動部４３３は、下へタッチスイッチを押す。
【００１８】
さらに、使用者が軸芯４１の上端部を操作制御する過程において、軸芯４１は、ロッカー４４を駆動してベース１に対して動作させ、使用者が軸芯４１を操作制御することを停止する時、バネ４５の弾力の作用で、軸芯４１は、戻す。
【００１９】
また、各接触位置制限バンプ４１３は、それぞれ、円弧状接触面４１３１を介して下端貫通孔４３１の内表面に接触し、該構成設計は、軸芯４１と下端貫通孔４３１の内表面との接触面積を減少することができ、さらに、軸芯４１の戻し抵抗力を減少し、それにより、戻し動作をより順調させ、安定性および信頼性がよい。
【００２０】
以上のように、上記構成設計によれば、本考案は、設計が新規であり、構成が簡単であり、安定性および信頼性がよいメリットを有する。
【００２１】
好ましい実施形態として、図４、図５及び図６に示すように、各係止部４１２には、それぞれ、傾斜面４１２１が設けられている。さらに、傾斜面４１２１の構成設計によれば、本考案は、各係止部４１２が順調に相応する係止孔４３４に挿入し、取り付けやすい。
【００２２】
以上の内容は、本考案の好ましい実施例であり、当業者にとっては、本考案の思想に基づいて、具体的実施形態及び応用範囲に改変することができ、本明細書の内容は、本考案を制限していない。
【符号の説明】
【００２３】
１  ベース               ２  ハウジング
２１  ハウジング貫通孔          ３  収容室
４  調節制御アセンブリ           ４１  軸芯
４１１  軸芯取付孔       ４１２  係止部
４１２１  傾斜面            ４１３  接触位置制限バンプ
４１３１  円弧状接触面      ４２  上端ロッカーアーム
４２１  上端貫通孔         ４２２  上端駆動部
４２３  上端位置決め部       ４３  下端ロッカーアーム
４３１  下端貫通孔         ４３２  下端第１駆動部
４３３  下端第２駆動部   ４３４  係止孔 
４４  ロッカー              ４５  バネ
４６  第１回転ポテンショメータ     ４６１  第１ゴム回転シート
４６２  第１本体         ４６３  第１ブラシ 
４６４  第１カーボンプレート          ４７  第２回転ポテンショメータ   
４７１  第２ゴム回転シート       ４７２  第２本体   
４７３  第２ブラシ         ４７４  第２カーボンプレート 
４８  接触スイッチ。
【図１】
0003211625.tif 000003
【図２】
0003211625.tif 000004
【図３】
0003211625.tif 000005
【図４】
0003211625.tif 000006
【図５】
0003211625.tif 000007
【図６】
0003211625.tif 000008